(57)【要約】【課題】着脱自在に接続された各々の負荷回路に合わせて出力を調整可能な点灯装置、光源ユニット、及び照明器具を提供する。【解決手段】点灯回路２は、第１コネクタ３を介して光源ユニット５０が備える複数の負荷回路の各々が出力端子間に接続される第１調光回路２１及び第２調光回路２２を備える。順電圧測定部２８は、第１調光回路２１及び第２調光回路２２のそれぞれに接続される負荷回路の情報として順方向電圧の合計値を測定する。制御部２４は、順電圧測定部２８が測定した順方向電圧の合計値に基づいて、対応する調光回路（第１調光回路２１、第２調光回路２２）の出力を制御する。第１コネクタ３は、複数の負荷回路の正極側に共通接続される第１端子４と、第１コネクタ３を接続方向から見た場合に第１端子４を中心とする円周上に等間隔に配置され、複数の負荷回路の負極側にそれぞれ電気的に接続される複数の第２端子５ａ，５ｂを備える。【選択図】図１
2015095328.tif 000002
【特許請求の範囲】
【請求項１】
固体発光素子を有する負荷回路を複数備え、複数の前記負荷回路は、正極側及び負極側のうちの一方が第１入力端子に共通接続され、正極側及び負極側のうちの他方が個別の第２入力端子に接続されるように構成された光源ユニットの電線が着脱自在に接続されるコネクタと、
前記コネクタを介して、前記光源ユニットが備える複数の前記負荷回路の各々が出力端子間に接続される複数の調光回路と、
複数の前記調光回路のそれぞれに前記コネクタを介して接続される前記負荷回路の情報を取得する負荷情報取得部と、
前記負荷情報取得部が取得した前記負荷回路の情報に基づいて、対応する前記調光回路の出力を制御する制御部とを備え、
前記コネクタは、
前記光源ユニットの前記第１入力端子に電気的に接続される第１端子と、
前記コネクタを接続方向から見た場合に前記第１端子を中心とする円周上に等間隔に配置されて、複数の前記第２入力端子のそれぞれに電気的に接続される第２端子とを備えることを特徴とする点灯装置。
【請求項２】
複数の前記調光回路の各々は、前記第１端子と、対応する前記第２端子との間に接続されたことを特徴とする請求項１記載の点灯装置。
【請求項３】
前記負荷情報取得部は、前記負荷回路の情報として、前記負荷回路が有する前記固体発光素子の順方向電圧の合計値を測定するように構成され、
前記制御部は、前記負荷情報取得部が取得した順方向電圧の合計値に基づいて、対応する前記調光回路の出力を制御するように構成されたことを特徴とする請求項１又は２の何れかに記載の点灯装置。
【請求項４】
複数の前記調光回路が、同じ定数の回路部品で構成された同じ回路構成のスイッチング電源回路であることを特徴とする請求項１乃至３の何れか１項に記載の点灯装置。
【請求項５】
請求項１乃至４の何れか１項に記載の点灯装置に使用され、
固体発光素子を有する負荷回路を複数備え、
複数の前記負荷回路は、正極側及び負極側のうちの一方が第１入力端子に共通接続され、正極側及び負極側のうちの他方が個別の第２入力端子に接続されるように構成されたことを特徴とする光源ユニット。
【請求項６】
請求項１乃至４の何れか１項に記載の点灯装置と、
前記点灯装置に接続される請求項５に記載の光源ユニット
とを備えたことを特徴とする照明器具。
【発明の詳細な説明】
【技術分野】
【０００１】
本発明は、点灯装置、及びそれに用いる光源ユニット、並びに照明器具に関し、より詳細には、複数の光源ユニットが着脱自在に接続される点灯装置、及びそれに用いる光源ユニット、並びに照明器具に関する。
【背景技術】
【０００２】
従来、複数のＬＥＤモジュールが着脱自在に接続されるソケットと、ソケットに接続されたＬＥＤモジュールに対して電力を供給する電源部とを備えた照明装置があった（例えば特許文献１参照）。特許文献１の照明装置では、各々のＬＥＤモジュールが、ソケットに接続されているか否かを検出する接続状態検出部を備えている。接続状態検出部は、ソケットに接続されているか否かを検出した結果を、自己の状態情報として電源部に出力する。電源部には、ソケットに接続されたＬＥＤモジュールの接続状態検出部から接続情報が入力されており、ＬＥＤモジュールの装着個数に応じて出力を調整するように構成されていた。
【先行技術文献】
【特許文献】
【０００３】
【特許文献１】特開２０１２−１１９３３６号公報
【発明の概要】
【発明が解決しようとする課題】
【０００４】
特許文献１の照明装置は、ソケットに装着されたＬＥＤモジュールの個数に応じて、電源部の供給電力を調整するだけで、接続されたＬＥＤモジュールの仕様に合わせて、個々のＬＥＤモジュールに供給する電力を調整することはできなかった。
【０００５】
本発明は上記課題に鑑みて為され、着脱自在に接続された各々の負荷回路に合わせて出力を調整可能な点灯装置、及びそれに用いる光源ユニット、並びに照明器具を提供することを目的とする。
【課題を解決するための手段】
【０００６】
本発明の点灯装置は、光源ユニットの電線が着脱自在に接続されるコネクタと、複数の調光回路と、負荷情報取得部と、制御部とを備える。前記光源ユニットは、固体発光素子を有する負荷回路を複数備え、複数の前記負荷回路は、正極側及び負極側のうちの一方が第１入力端子に共通接続され、正極側及び負極側のうちの他方が個別の第２入力端子に接続されるように構成される。複数の前記調光回路は、前記コネクタを介して、前記光源ユニットが備える複数の前記負荷回路の各々が出力端子間に接続される。前記負荷情報取得部は、複数の前記調光回路のそれぞれに前記コネクタを介して接続される前記負荷回路の情報を取得する。前記制御部は、前記負荷情報取得部が取得した前記負荷回路の情報に基づいて、対応する前記調光回路の出力を制御する。前記コネクタは第１端子と第２端子を備える。前記第１端子は、前記光源ユニットの前記第１入力端子に電気的に接続される。前記第２端子は、前記コネクタを接続方向から見た場合に前記第１端子を中心とする円周上に等間隔に配置されて、複数の前記第２入力端子のそれぞれに電気的に接続される。
【０００７】
この点灯装置において、複数の前記調光回路の各々は、前記第１端子と、対応する前記第２端子との間に接続されることも好ましい。
【０００８】
この点灯装置において、以下の構成をさらに備えることも好ましい。前記負荷情報取得部は、前記負荷回路の情報として、前記負荷回路が有する前記固体発光素子の順方向電圧の合計値を測定するように構成される。前記制御部は、前記負荷情報取得部が取得した順方向電圧の合計値に基づいて、対応する前記調光回路の出力を制御するように構成される。
【０００９】
この点灯装置において、複数の前記調光回路が、同じ定数の回路部品で構成された同じ回路構成のスイッチング電源回路であることも好ましい。
【００１０】
本発明の光源ユニットは上述した点灯装置に使用される。この光源ユニットは、固体発光素子を有する負荷回路を複数備え、複数の前記負荷回路は、正極側の入力端子及び負極側の入力端子のうちの一方が第１入力端子に共通接続され、他方が個別の第２入力端子に接続されるように構成される。
【００１１】
本発明の照明器具は、上述した点灯装置と、上述した光源ユニットとを備えたことを特徴とする。
【発明の効果】
【００１２】
本発明の点灯装置によれば、複数の調光回路のそれぞれにどの負荷回路が接続されたとしても、制御部は、負荷情報取得部が取得した負荷回路の情報に基づいて、対応する調光回路の出力を制御するから、負荷回路の特性に合わせた調光が可能になる。また、コネクタに接続位置を１つに規制する構造を持った高価なコネクタを使用する必要がなく、無極性の安価なコネクタを使用できるから、全体としてコストダウンを図ることができる。
【００１３】
本発明の光源ユニットによれば、点灯装置のコネクタに接続する位置を複数通りの接続位置から選択できる。したがって、コネクタに接続位置を一つに規制する構造を持った高価なコネクタを使用する必要がなく、無極性の安価なコネクタを使用できるから、全体としてコストダウンを図ることができる。
【００１４】
本発明の照明器具によれば、複数の調光回路のそれぞれにどの負荷回路が接続されたとしても、制御部は、負荷情報取得部が取得した負荷回路の情報に基づいて、対応する調光回路の出力を制御するから、負荷回路の特性に合わせた調光が可能になる。また、コネクタに接続位置を１つに規制する構造を持った高価なコネクタを使用する必要がなく、無極性の安価なコネクタを使用できるから、全体としてコストダウンを図ることができる。
【図面の簡単な説明】
【００１５】
【図１】本実施形態の点灯装置を用いた照明器具の回路図である。
【図２】本実施形態の点灯装置を用いた照明器具の一部を省略した具体回路図である。
【図３】本実施形態の点灯装置を用いた照明器具の使用状態を説明する説明図である。
【図４】本実施形態の点灯装置を用いた照明器具の他の構成を示す回路図である。
【図５】（ａ）〜（ｅ）は本実施形態の点灯装置が備えるコネクタの端子配列を模式的に示した図である。
【発明を実施するための形態】
【００１６】
本発明に係る点灯装置、点灯装置に用いられる光源ユニット、及び照明器具の実施形態を図１〜図５に基づいて説明する。
【００１７】
本実施形態の点灯装置１は、光源として例えば発光ダイオードのような固体発光素子を備える光源ユニット５０を点灯させるために用いられる。
【００１８】
先ず、光源ユニット５０について、図１及び図３を参照して説明する。
【００１９】
光源ユニット５０は、複数の発光ダイオード７１が直列に接続された第１負荷回路６１と、複数の発光ダイオード７２が直列に接続された第２負荷回路６２を備える。第１負荷回路６１と第２負荷回路６２とは、それぞれの負荷回路を構成する発光ダイオード（半導体発光素子）の順方向電圧を合計した値が互いに異なっており、調光レベルと負荷電流との関係を示す調光カーブも互いに異なっている。
【００２０】
光源ユニット５０のケース５１は円板形状に形成されており、ケース５１の内部には第１負荷回路６１及び第２負荷回路６２が収納されている。ケース５１の一面（図３における下面）には、ドーム状に形成された透光性のレンズカバー５６が取り付けられている。第１負荷回路６１を構成する発光ダイオード７１の発光、及び、第２負荷回路６２を構成する発光ダイオード７２の発光は、それぞれ、レンズカバー５６を通して外部に照射されるように構成されている。
【００２１】
光源ユニット５０のケース５１からは３本の電線５５が引き出され、電線５５の先端には、点灯装置１側の第１コネクタ３に着脱自在に接続される第２コネクタ５２が結線されている。第２コネクタ５２は３極タイプのプラグコネクタであり、１個の第１入力端子５３と、２個の第２入力端子５４ａ，５４ｂを備えている。第１入力端子５３には、第１負荷回路６１の正極側と、第２負荷回路６２の正極側とが共通接続されている。第２入力端子５４ａには第１負荷回路６１の負極側が接続され、第２入力端子５４ｂには第２負荷回路６２の負極側が接続されている。而して、第１負荷回路６１は第１入力端子５３と第２入力端子５４ａとの間に電気的に接続され、第２負荷回路６２は第１入力端子５３と第２入力端子５４ｂとの間に電気的に接続されている。
【００２２】
ここで、第２コネクタ５２を接続方向から見た場合に、２個の第２入力端子５４ａ，５４ｂは、第１入力端子５３を中心とする円周上に等間隔に配置されている。すなわち、本実施形態の第２コネクタ５２では、第２コネクタ５２を接続方向から見た場合に、第２入力端子５４ａ，５４ｂが、第１入力端子５３に対して互いに対称な位置に配置されるような極配置となっている。
【００２３】
次に、光源ユニット５０を点灯させる点灯装置１について図１及び図２を参照して説明する。本実施形態の点灯装置１は、光源ユニット５０を点灯させる点灯回路２と、点灯回路２の出力用の電線６を光源ユニット５０側の第２コネクタ５２に着脱自在に接続するための第１コネクタ３を備えている。
【００２４】
第１コネクタ３は３極タイプのレセプタクルコネクタであり、点灯回路２から導出された３本の電線６の先端側に結線されて、光源ユニット５０の第２コネクタ５２に着脱自在に接続される。第１コネクタ３は第１端子４と２個の第２端子５ａ，５ｂを備える。第１端子４は、第２コネクタ５２の第１入力端子５３に電気的に接続される。２個の第２端子５ａ，５ｂのうちの一方は、第２コネクタ５２が備える第２入力端子５４ａに接続され、第２端子５ａ，５ｂのうちの他方は、第２コネクタ５２が備える第２入力端子５４ｂに接続される。
【００２５】
ここで、第１コネクタ３を接続方向から見た場合に、２個の第２端子５ａ，５ｂは、第１端子４を中心とする円周上に等間隔に配置されている。本実施形態の第１コネクタ３では、図５（ｃ）に示すように、第１コネクタ３を接続方向（図５（ｃ）において紙面と垂直な方向）から見た場合に、第２端子５ａ，５ｂが、第１端子４に対して互いに対称な位置に配置されるような極配置となっている。
【００２６】
第１コネクタ３及び第２コネクタ５２には、接続方向を規制する構造が設けられていないので、どちらの向きにも接続できるように構成されている。図１に示す接続状態では、第２端子５ａが第２入力端子５４ａに接続され、第２端子５ｂが第２入力端子５４ｂに接続されており、第１端子４と第２端子５ａの間に第１負荷回路６１が接続され、第１端子４と第２端子５ｂの間に第２負荷回路６２が接続される。一方、図１に示す接続状態から第２コネクタ５２を１８０度回転させて第１コネクタ３に接続すれば、第２端子５ａが第２入力端子５４ｂに接続され、第２端子５ｂが第２入力端子５４ａに接続される。この場合、第１端子４と第２端子５ａの間に第２負荷回路６２が接続され、第１端子４と第２端子５ｂの間に第１負荷回路６１が接続されることになる。
【００２７】
なお本実施形態では点灯装置１側の第１コネクタ３をレセプタクルコネクタとし、光源ユニット５０側の第２コネクタ５２をプラグコネクタとしているが、第１コネクタ３がプラグコネクタで、第２コネクタ５２がレセプタクルコネクタであってもよい。
【００２８】
点灯回路２は、複数の調光回路たる第１調光回路２１及び第２調光回路２２と、負荷情報取得部たる順電圧測定部２８と、制御部２４を備える。また本実施形態の点灯回路２は、上記の構成に加えてＡＣ／ＤＣ変換回路２０をさらに備えている。また、制御部２４は、判定部２５と、調光信号変換部２６と、出力制御部２７を備えている。
【００２９】
ＡＣ／ＤＣ変換回路２０は、商用電源１００から供給される交流電力を直流に変換して第１調光回路２１及び第２調光回路２２に出力する。尚、点灯回路２はＡＣ／ＤＣ変換回路２０を備える代わりに、一定の直流電圧を出力する直流電源（図示せず）を備えていてもよい。
【００３０】
第１調光回路２１及び第２調光回路２２は、同じ定数の回路部品で構成された同じ回路構成のスイッチング電源回路であり、本実施形態では第１調光回路２１及び第２調光回路２２が例えばバックコンバータで構成されている。図２は第１調光回路２１の具体的な回路構成を示している。図２の回路図では、第１調光回路２１の入力側に、ＡＣ／ＤＣ変換回路２０に代えて直流電源２９が接続されているが、第１調光回路２１の動作は第１調光回路２１の入力側にＡＣ／ＤＣ変換回路２０が接続された場合と同様である。また、図２の回路図では、第２調光回路２２及び第２負荷回路６２の図示を省略している。第２調光回路２２は、第１調光回路２１と同じ定数の回路部品で構成された、同じ回路構成のスイッチング電源回路であるから、第２調光回路２２については図示及び説明は省略する。
【００３１】
第１調光回路２１は、電界効果トランジスタのようなスイッチング素子Ｑ１と、回生用のダイオードＤ１と、チョークコイルＬ１と、平滑用のコンデンサＣ１とを備えた降圧チョッパ回路である。ダイオードＤ１のカソードは、直流電源２９の高圧側の出力端子に接続され、ダイオードＤ１のアノードは、スイッチング素子Ｑ１を介して直流電源２９の低圧側の出力端子に接続される。また、ダイオードＤ１のカソードに平滑用のコンデンサＣ１の一端が接続され、コンデンサＣ１の他端はチョークコイルＬ１を介してダイオードＤ１のアノードに接続されている。
【００３２】
スイッチング素子Ｑ１のオン／オフは制御部２４によって制御される。制御部２４がスイッチング素子Ｑ１をオンにすると、直流電源２９→コンデンサＣ１→インダクタＬ１→スイッチング素子Ｑ１→直流電源２９の経路で電流が流れ、インダクタＬ１にエネルギが蓄積される。制御部２４がスイッチング素子Ｑ１をオフにすると、インダクタＬ１がスイッチング素子Ｑ１のオン時に蓄積したエネルギを放出し、インダクタＬ１→ダイオードＤ１→コンデンサＣ１→インダクタＬ１の経路で電流が流れて、コンデンサＣ１が充電される。このようなスイッチング動作によって、コンデンサＣ１の両端間には入力電圧を降圧した直流電圧が発生し、コンデンサＣ１から第１負荷回路６１にほぼ一定の電流が供給される。制御部２４は、スイッチング素子Ｑ１のオンデューティを変化させることによって、コンデンサＣ１の両端間に発生する電圧を調整し、第１負荷回路６１に流れる電流を制御する。
【００３３】
第１調光回路２１の高圧側の出力端子と、第２調光回路２２の高圧側の出力端子とは電気的に接続されている。第１調光回路２１及び第２調光回路２２の高圧側の出力端子と、第１調光回路２１の低圧側の出力端子と、第２調光回路２２の低圧側の出力端子にはそれぞれ別々の電線６の一端側が接続されている。３本の電線６の他端には第１コネクタ３が接続されている。図１に示す接続状態では、第１調光回路２１の高圧側の出力端子と第２調光回路２２の高圧側の出力端子は電線６を介して第１コネクタ３の第１端子４に接続される。第１調光回路２１の低圧側の出力端子は電線６を介して第１コネクタ３の第２端子５ａに接続され、第２調光回路２２の低圧側の出力端子は電線６を介して第１コネクタ３の第２端子５ｂに接続される。したがって、図１に示す接続状態では、第１調光回路２１の高圧側の出力端子が第１負荷回路６１の正極側に接続され、第１調光回路２１の低圧側の出力端子が第１負荷回路６１の負極側に接続される。また、第２調光回路２２の高圧側の出力端子が第２負荷回路６２の正極側に接続され、第２調光回路２２の低圧側の出力端子が第２負荷回路６２の負極側に接続される。
【００３４】
順電圧測定部２８は、第１コネクタ３の第１端子４と第２端子５ａの間に接続される負荷回路の情報、及び、第１端子４と第２端子５ｂの間に接続される負荷回路の情報として、それぞれ負荷回路を構成する発光ダイオードの順方向電圧の合計値を測定する。
【００３５】
本実施形態では、光源ユニット５０が２つの負荷回路（第１負荷回路６１及び第２負荷回路６２）を備え、第１負荷回路６１と第２負荷回路６２では、調光レベルに応じた負荷電流の設定、すなわち調光カーブが異なっている。また、第１負荷回路６１と第２負荷回路６２では、各々の負荷回路を構成する半導体発光素子（発光ダイオード）の順方向電圧の合計値が異なっている。
【００３６】
例えば本実施形態では、第１負荷回路６１を構成する発光ダイオード７１と、第２負荷回路６２を構成する発光ダイオード７２とで色温度を異ならせ、発光ダイオード７１の出力光と発光ダイオード７２の出力光を混色した光が出力されるようにしてある。点灯回路２は、外部から入力される調光信号Ｓ１に応じて、光源ユニット５０からの出力光（混色光）の光出力を変化させており、所望の光出力が得られるように、第１負荷回路６１の光出力と、第２負荷回路６２の光出力を個別に調整している。すなわち、第１負荷回路６１と第２負荷回路６２では、調光レベルに応じた負荷電流の設定（調光カーブ）が異なっており、第１調光回路２１及び第２調光回路２２は、出力端子間に接続された負荷回路の種類に応じて調光カーブを切り替える必要がある。
【００３７】
本実施形態では、第１負荷回路６１と第２負荷回路６２とで色温度が異なっており、混色光の光出力及び色温度を所望の値に調整するために、第１負荷回路６１と第２負荷回路６２とで、各々の負荷回路を構成する発光ダイオードの数を異ならせている。したがって、第１負荷回路６１と第２負荷回路６２とで、各々の負荷回路を構成する発光ダイオードの順方向電圧の合計値が異なっており、判定部２５は、順電圧測定部２８によって測定された順方向電圧の合計値から負荷回路の種類を判別できる。
【００３８】
図２に順電圧測定部２８の具体回路を示す。図２では、順電圧測定部２８において第１端子４と第２端子５ａの間に接続される負荷回路の情報を取得する部分のみを図示してあり、第１端子４と第２端子５ｂの間に接続される負荷回路の情報を取得する部分については図示を省略してある。順電圧測定部２８は、第１端子４と第２端子５ａの間に接続される抵抗Ｒ１と、第２端子５ａ（第１調光回路２１の低圧側の出力端子）と回路のグランドとの間に接続された抵抗Ｒ２，Ｒ３の直列回路とを備える。図２の例では第１端子４と第２端子５ａの間に第１負荷回路６１が接続されているので、第１端子４と第２端子５ａの間（すなわち抵抗Ｒ１の両端間）には、第１負荷回路６１を構成する複数個の発光ダイオード７１の順方向電圧を合計した電圧Ｖ２が発生する。したがって、第２端子５ａの電圧Ｖ３は、直流電源２９の両端電圧Ｖ１から、第１負荷回路６１を構成する発光ダイオード７１の順方向電圧の合計値Ｖ２を引いた電圧となり、Ｖ３＝Ｖ１−Ｖ２となる。順電圧測定部２８は、第２端子５ａの電圧Ｖ３を抵抗Ｒ２，Ｒ３の抵抗比で分圧した電圧Ｖ４を判定部２５に出力している。ここで、直流電源２９の両端電圧Ｖ１は既知であり、定数として判定部２５に設定されており、判定部２５は、電圧Ｖ４をもとに、第１端子４と第２端子５ａの間に接続された負荷回路の順方向電圧の合計値Ｖ２を求めることができる。
【００３９】
判定部２５には、点灯回路２に接続される可能性がある全ての負荷回路（本実施形態では第１負荷回路６１及び第２負荷回路６２）について、順方向電圧の合計値が予め登録されている。判定部２５は、順電圧測定部２８から入力される電圧Ｖ４をもとに、第１端子４と第２端子５ａの間に接続された負荷回路の順方向電圧の合計値Ｖ２を求め、この値から第１端子４と第２端子５ａの間に接続された負荷回路の種類を判定する。なお、順電圧測定部２８は、直流電源２９の両端電圧Ｖ１から、第１端子４と第２端子５ｂの間に接続された負荷回路の順方向電圧の合計値を引いた電圧を、抵抗器の直列回路で分圧した電圧を判定部２５に出力している。判定部２５は、この電圧をもとに、第１端子４と第２端子５ｂの間に接続された負荷回路の順方向電圧の合計値を求め、この値から負荷回路の種類を判定する。そして、判定部２５は、第１端子４と第２端子５ａの間に接続された負荷回路の種類を判定した結果、及び、第１端子４と第２端子５ｂの間に接続された負荷回路の種類を判定した結果をそれぞれ出力制御部２７に出力する。
【００４０】
調光信号変換部２６には、例えば外部から調光レベルに応じてデューティ比が変化するＰＷＭ（Pulse Width Modulation）信号からなる調光信号Ｓ１が入力される。調光信号変換部２６は、外部から入力される調光信号Ｓ１のデューティ比を調光レベルに変換して、出力制御部２７に出力する。
【００４１】
出力制御部２７は、点灯回路２に接続される可能性のある全ての負荷回路（本実施形態では第１負荷回路６１、第２負荷回路６２）について、調光レベルと負荷電流とを対応付けた調光カーブを、内蔵するフラッシュメモリ（図示せず）に記憶させている。出力制御部２７は、判定部２５の判定結果をもとに、第１調光回路２１に接続された負荷回路（本実施形態では第１負荷回路６１）の調光カーブと、第２調光回路２２に接続された負荷回路（第２負荷回路６２）の調光カーブをフラッシュメモリから読み出す。出力制御部２７は、調光信号変換部２６から調光レベルが入力されると、第１調光回路２１に接続された負荷回路の調光カーブをもとに負荷回路に供給する電流値を決定し、電流値に応じたデューティ比で第１調光回路２１のスイッチング動作を制御する。また、出力制御部２７は、調光信号変換部２６から調光レベルが入力されると、第２調光回路２２に接続された負荷回路の調光カーブをもとに負荷回路に供給する電流値を決定し、電流値に応じたデューティ比で、第２調光回路２２のスイッチング動作を制御する。これにより、点灯回路２から第１負荷回路６１及び第２負荷回路６２のそれぞれに調光レベルに応じた電流が供給され、第１負荷回路６１の出力光及び第２負荷回路６２の出力光を混色した所望の出力光を得ることができる。
【００４２】
ここで、本実施形態の点灯装置１の動作をまとめて説明する。ＡＣ／ＤＣ変換回路２０又は直流電源２９から点灯回路２に直流電力が供給されると、点灯回路２では第１調光回路２１及び第２調光回路２２によるスイッチング動作が開始される。このとき、調光信号変換部２６が、外部から入力される調光信号Ｓ１のデューティ比を調光レベルに変換して出力制御部２７に出力し、出力制御部２７は、調光レベルに応じた駆動信号を仮設定して、第１調光回路２１及び第２調光回路２２に出力する。この時点では、順電圧測定部２８が負荷情報（順方向電圧の合計値）を取り込んでいないため、出力制御部２７は、所定の駆動信号を第１調光回路２１及び第２調光回路２２に出力する。ここで、所定の駆動信号は、例えばスイッチングのゼロ電流が検出できなかった場合のために、予め設定された最低周波数で第１調光回路２１及び第２調光回路を動作させるための駆動信号としてもよい。
【００４３】
第１調光回路２１及び第２調光回路２２がスイッチング動作を行い、その出力端に接続された平滑用のコンデンサが十分に充電された状態で、順電圧測定部２８が、第２端子５ａ，５ｂの電圧をそれぞれ分圧した電圧を測定し、測定値を判定部２５に出力する。
【００４４】
判定部２５は、順電圧測定部２８から入力された第２端子５ａの電圧の分圧値をもとに、第１端子４と第２端子５ａの間に接続された負荷回路の順方向電圧の合計値を求め、この値から第１調光回路２１に接続された負荷回路の種類を判定する。また、判定部２５は、順電圧測定部２８から入力された第２端子５ｂの電圧の分圧値をもとに、第１端子４と第２端子５ｂの間に接続された負荷回路の順方向電圧の合計値を求め、この値から第２調光回路２２に接続された負荷回路の種類を判定する。
【００４５】
出力制御部２７は、判定部２５の判定結果をもとに、第１調光回路２１に接続された負荷回路に対応する調光カーブと、第２調光回路２２に接続された負荷回路に対応する調光カーブをフラッシュメモリから読み出して、各調光回路に割り当てる。そして、出力制御部２７は、調光信号変換部２６から入力される調光レベルと、第１調光回路２１に割り当てた調光カーブをもとに、第１調光回路２１の出力を制御する制御信号を第１調光回路２１に出力し、第１調光回路２１の出力を制御する。また、出力制御部２７は、調光信号変換部２６から入力される調光レベルと、第２調光回路２２に割り当てた調光カーブをもとに、第２調光回路２２の出力を制御する制御信号を第２調光回路２２に出力し、第２調光回路２２の出力を制御する。これにより、第１調光回路２１及び第２調光回路２２に接続された負荷回路の種類に応じて、第１調光回路２１及び第２調光回路２２の出力を制御することができる。
【００４６】
なお、順電圧測定部２８は電源投入時に負荷回路を構成する順方向電圧の合計値を測定しているが、負荷回路を一旦点灯させてから、接続されている負荷回路の順方向電圧の合計値を測定し、その測定結果をもとに接続されている負荷回路の種類を判定してもよい。この場合、負荷回路の種類を判定した後に、出力制御部２７は、人の目には変化が認識できない程度の緩やかな速度で、第１調光回路２１及び第２調光回路２２からそれぞれ供給される電流値を、接続された負荷回路に適合した電流値にフェードさせればよい。
【００４７】
ところで、図１の回路例では、光源ユニット５０が備える２個の負荷回路が点灯回路２に接続されるように構成されているが、負荷回路の数は２個に限定されない。光源ユニット５０が３個以上の負荷回路を備え、点灯回路２に、光源ユニット５０が備える３個以上の負荷回路が接続されるように構成されてもよい。
【００４８】
図４は、光源ユニット５０が３個の負荷回路（第１負荷回路６１、第２負荷回路６２、第３負荷回路６３）を備え、光源ユニット５０が備える３個の負荷回路を点灯可能なように点灯装置１が構成された場合の回路図を示している。
【００４９】
図４に示す光源ユニット５０は、複数の発光ダイオード７１が直列に接続された第１負荷回路６１と、複数の発光ダイオード７２が直列に接続された第２負荷回路６２と、複数の発光ダイオード７３が直列に接続された第３負荷回路６３を備える。第１負荷回路６１と第２負荷回路６２と第３負荷回路６３とは、それぞれの負荷回路を構成する発光ダイオード（半導体発光素子）の順方向電圧を合計した値が互いに異なっており、調光レベルと負荷電流との関係を示す調光カーブも互いに異なっている。
【００５０】
光源ユニット５０のケース５１からは４本の電線５５が引き出され、電線５５の先端には第２コネクタ５２が結線されている。第２コネクタ５２は４極タイプのプラグコネクタであり、１個の第１入力端子５３と、３個の第２入力端子５４ａ，５４ｂ，５４ｃを備えている。第１入力端子５３には、第１負荷回路６１の正極側と、第２負荷回路６２の正極側と、第３負荷回路６３の正極側とが共通接続されている。第２入力端子５４ａには第１負荷回路６１の負極側が接続され、第２入力端子５４ｂには第２負荷回路６２の負極側が接続され、第２入力端子５４ｃには第３負荷回路６３の負極側が接続されている。而して、第１負荷回路６１は第１入力端子５３と第２入力端子５４ａとの間に電気的に接続され、第２負荷回路６２は第１入力端子５３と第２入力端子５４ｂとの間に電気的に接続されている。また、第３負荷回路６３は第１入力端子５３と第２入力端子５４ｃとの間に電気的に接続されている。
【００５１】
ここで、第２コネクタ５２を接続方向から見た場合に、３個の第２入力端子５４ａ，５４ｂ，５４ｃは、第１入力端子５３を中心とする円周上に等間隔（約１２０度間隔）に配置されるような極配置となっている。したがって、３個の第２入力端子５４ａ，５４ｂ，５４ｃは、第１入力端子５３を中心に第２コネクタ５２を１２０度又は２４０度回転させると、別の第２入力端子があった位置に重なるような位置に配置されている。
【００５２】
一方、光源ユニット５０を点灯させる点灯装置１は、光源ユニット５０を点灯させる点灯回路２と、点灯回路２の出力用の電線６を光源ユニット５０側の第２コネクタ５２に着脱自在に接続するための第１コネクタ３を備えている。
【００５３】
第１コネクタ３は４極タイプのレセプタクルコネクタであり、点灯回路２から導出された４本の電線６の先端側に結線されて、光源ユニット５０の第２コネクタ５２に着脱自在に接続される。第１コネクタ３は第１端子４と３個の第２端子５ａ，５ｂ，５ｃを備える。第１端子４は、第２コネクタ５２の第１入力端子５３に電気的に接続される。
【００５４】
ここで、図５（ａ）に示すように、第１コネクタ３を接続方向（図５（ａ）において紙面と垂直な方向）から見た場合に、３個の第２端子５ａ，５ｂ，５ｃは、第１端子４を中心とする円周上に等間隔（約１２０度間隔）に配置されている。したがって、３個の第２端子５ａ，５ｂ，５ｃは、第１端子４を中心に第１コネクタ３を１２０度又は２４０度回転させると、別の第２端子があった位置に重なるような位置に配置されている。
【００５５】
点灯回路２は、複数の調光回路として第１調光回路２１、第２調光回路２２及び第３調光回路２３と、負荷情報取得部たる順電圧測定部２８と、制御部２４を備える。なお、調光回路の数が３個である点を除いては、図１に示す回路と同様の構成を備えているので、共通の構成要素には同一の符号を付して、その説明は省略する。
【００５６】
第１調光回路２１と第２調光回路２２と第３調光回路２３とは、同じ定数の回路部品で構成された同じ回路構成のスイッチング電源回路であり、本実施形態では第１調光回路２１と第２調光回路２２と第３調光回路２３とが例えばバックコンバータで構成されている。
【００５７】
第１調光回路２１の高圧側の出力端子と、第２調光回路２２の高圧側の出力端子と、第３調光回路２３の高圧側の出力端子とは電気的に接続されている。第１調光回路２１、第２調光回路２２及び第３調光回路２３の高圧側の出力端子と、第１調光回路２１の低圧側の出力端子と、第２調光回路２２の低圧側の出力端子と、第３調光回路２３の低圧側の出力端子にはそれぞれ別々の電線６の一端側が接続されている。３本の電線６の他端には第１コネクタ３が接続されている。本実施形態では、第１調光回路２１の高圧側の出力端子と第２調光回路２２の高圧側の出力端子と第３調光回路２３の高圧側の出力端子は電線６を介して第１コネクタ３の第１端子４に接続される。第１調光回路２１の低圧側の出力端子は電線６を介して第１コネクタ３の第２端子５ａに接続され、第２調光回路２２の低圧側の出力端子は電線６を介して第１コネクタ３の第２端子５ｂに接続される。また第３調光回路２３の低圧側の出力端子は電線６を介して第１コネクタ３の第２端子５ｃに接続されている。
【００５８】
図４の向きで第１コネクタ３と第２コネクタ５２を対面させた状態で、第１コネクタ３と第２コネクタ５２が接続された場合、第２端子５ａが第２入力端子５４ａに、第２端子５ｂが第２入力端子５４ｂに、第２端子５ｃが第２入力端子５４ｃにそれぞれ接続される。このとき、第１端子４と第２端子５ａの間に第１負荷回路６１が接続され、第１端子４と第２端子５ｂの間に第２負荷回路６２が接続され、第１端子４と第２端子５ｂの間に第２負荷回路６２が接続される。したがって、第１調光回路２１の高圧側の出力端子が第１負荷回路６１の正極側に接続され、第１調光回路２１の低圧側の出力端子が第１負荷回路６１の負極側に接続される。また、第２調光回路２２の高圧側の出力端子が第２負荷回路６２の正極側に接続され、第２調光回路２２の低圧側の出力端子が第２負荷回路６２の負極側に接続される。また、第３調光回路２３の高圧側の出力端子が第３負荷回路６３の正極側に接続され、第３調光回路２３の低圧側の出力端子が第３負荷回路６３の負極側に接続される。
【００５９】
ここで、第１コネクタ３及び第２コネクタ５２には接続位置を１つに規制する構造が設けられていない。したがって、図４に示す向きで第１コネクタ３と第２コネクタ５２とが対面している状態で、第２コネクタ５２を第１コネクタ３に対して１２０度又は２４０度回転させた状態でも第１コネクタ３に接続できる。その場合、第１調光回路２１と第２調光回路２２と第３調光回路２３には別の負荷回路が接続されることになり、接続された負荷回路に応じた調光カーブで調光する必要がある。
【００６０】
そこで、図４に示す回路においても、順電圧測定部２８が、第２端子５ａ，５ｂ，５ｃと第１端子４との間にそれぞれ接続された負荷回路の順方向電圧の合計値を測定し、その測定結果を判定部２５に出力する。判定部２５は、順電圧測定部２８が測定した順方向電圧の合計値をもとに、第２端子５ａ，５ｂ，５ｃと第１端子４との間にそれぞれ接続された負荷回路の種類を判定する。判定部２５は、負荷回路の種類を判定した結果を、対応する調光回路（第１調光回路２１、第２調光回路２２、第３調光回路２３）に出力しており、第１調光回路２１、第２調光回路２２、第３調光回路２３は接続された負荷回路に応じた調光カーブで調光する。
【００６１】
なお、第１コネクタ３の外殻は図５（ａ）に示すように円筒形状に形成されているが、第１コネクタ３の外殻は人が持ちやすい形状であれば、円筒以外の形状でもよく、例えば図５（ｂ）に示すように角柱状でもよい。
【００６２】
また、図４の回路例では負荷回路の数が３個であったが、負荷回路の数は４個以上でもよい。例えば負荷回路の数が４個で、調光回路の数も４個の場合、図５（ｄ）に示すように第１コネクタ３は１個の第１端子４と４個の第２端子５ａ，５ｂ，５ｃ，５ｄを備える。４個の第２端子５ａ，５ｂ，５ｃ，５ｄは、第１端子４を中心とする円周上に等間隔（例えば９０度間隔）に配置されている。第１コネクタ３と第２コネクタ５２とには接続位置を規制する構造は設けられていないので、第１コネクタ３と第２コネクタ５２とは４通りの接続状態で接続することができる。なお、図５（ｄ）に示すように第１コネクタ３の外殻は円筒形状でもよいし、図５（ｅ）に示すように第１コネクタ３の外殻は角柱形状でもよい。
【００６３】
上述のように、本実施形態の点灯装置１は、光源ユニット５０の電線５５が着脱自在に接続される第１コネクタ３と、複数の調光回路（第１調光回路２１、第２調光回路２２、第３調光回路２３）と、負荷情報取得部たる順電圧測定部２８と、制御部２４を備える。光源ユニット５０は、それぞれ固体発光素子（発光ダイオード７１，７２，７３）を有する複数の負荷回路（第１負荷回路６１、第２負荷回路６２、第３負荷回路６３）を備える。複数の負荷回路は、正極側及び負極側のうちの一方が第１入力端子（第１入力端子５３）に共通接続され、正極側及び負極側のうちの他方が個別の第２入力端子（第２入力端子５４ａ，５４ｂ，５４ｃ）に接続されるように構成される。複数の調光回路は、第１コネクタ３を介して、光源ユニット５０が備える複数の負荷回路の各々が出力端子間に接続される。負荷情報取得部たる順電圧測定部２８は、複数の調光回路のそれぞれに第１コネクタ３を介して接続される負荷回路の情報（例えば半導体発光素子の順方向電圧の合計値）を取得する。制御部２４は、順電圧測定部２８が取得した負荷回路の情報に基づいて、対応する調光回路の出力を制御する。第１コネクタ３は第１端子（第１端子４）と第２端子（第２端子５ａ，５ｂ，５ｃ）を備える。第１端子は、光源ユニット５０の第１入力端子に電気的に接続される。第２端子は、第１コネクタ３を接続方向から見た場合に第１端子を中心とする円周上に等間隔に配置されて、複数の第２入力端子のそれぞれに電気的に接続される。
【００６４】
これにより、複数の調光回路のそれぞれにどの負荷回路が接続されたとしても、制御部２４は、順電圧測定部２８が取得した負荷回路の情報に基づいて、対応する調光回路の出力を制御するから、負荷回路の特性に合わせた調光が可能になる。また、第１コネクタ３及び第２コネクタ５２に接続位置を規制する構造を持った高価なコネクタを使用する必要がなく、安価なコネクタを使用できるから、全体としてコストダウンを図ることができる。
【００６５】
この点灯装置１において、複数の調光回路（第１調光回路２１、第２調光回路２２、第３調光回路２３）の各々は、第１端子（第１端子４）と、対応する第２端子（第２端子５ａ，５ｂ，５ｃ）との間に接続されることも好ましい。
【００６６】
この点灯装置において、以下の構成をさらに備えることも好ましい。負荷情報取得部たる順電圧測定部２８は、負荷回路（第１負荷回路６１、第２負荷回路６２、第３負荷回路６３）の情報として、負荷回路が有する固体発光素子の順方向電圧の合計値を測定するように構成される。制御部２４は、順電圧測定部２８が取得した順方向電圧の合計値に基づいて、対応する調光回路の出力を制御するように構成される。このように、複数の負荷回路で順方向電圧の合計値が異なる場合は、順方向電圧の合計値を測定した結果から負荷回路の種類を判定することができる。
【００６７】
この点灯装置において、複数の調光回路（第１調光回路２１、第２調光回路２２、第３調光回路２３）が、同じ定数の回路部品で構成された同じ回路構成のスイッチング電源回路であることも好ましい。
【００６８】
本実施形態の光源ユニット５０は上述した点灯装置１に使用される。この光源ユニット５０は、それぞれ固体発光素子を有する複数の負荷回路（第１負荷回路６１、第２負荷回路６２、第３負荷回路６３）を備える。複数の負荷回路は、正極側の入力端子及び負極側の入力端子のうちの一方が第１入力端子（第１入力端子５３）に共通接続され、他方が個別の第２入力端子（第２入力端子５４ａ，５４ｂ，５４ｃ）に接続されるように構成される。
【００６９】
次に、本実施形態の点灯装置１を用いた照明器具の一例を図３に基づいて説明する。
【００７０】
図示する照明器具は、例えば、天井材２００に埋め込み配置される。
【００７１】
この照明器具は、光源ユニット５０を収納する第１ケース８０と、点灯装置１の構成部品を収納する第２ケース４０を備える。
【００７２】
第１ケース８０は、例えば鉄、アルミニウム、ステンレスなどの金属で、下面が開口した円筒状に形成されている。第１ケース８０の下端部には、径方向における外向きに突出する外鍔８１が一体に設けられている。第１ケース８０の底壁（図３における上側壁）の内面には、光源ユニット５０が発光面を開口側に向けた状態で取り付けられており、光源ユニット５０から照射された光は第１ケース８０の開口を通して、外部に照射される。
【００７３】
第１ケース８０は、天井材２００に形成された取付用の孔２０１に下側から挿入され、外鍔８１の上面を孔２０１の周縁部に接触させた状態で、天井材２００に固定される。
【００７４】
第２ケース４０は、例えば鉄、アルミニウム、ステンレスなどの金属で、箱状に形成されており、天井材２００の上側に載置されている。第２ケース４０の下部の両端にはスタンド４１が取り付けられており、スタンド４１を介して天井材２００の上面に第２ケース４０が載置された状態では、第２ケース４０の下面と天井材２００の上面との間に隙間が設けられている。
【００７５】
第１ケース８０からは、光源ユニット５０内の複数の負荷回路（第１負荷回路６１、第２負荷回路６２、第３負荷回路６３）に電気的に接続された電線５５が引き出され、電線５５の先端には第２コネクタ５２が接続されている。また、第２ケース４０からは、複数の調光回路（第１調光回路２１、第２調光回路２２、第３調光回路２３）の出力端に電気的に接続された電線６が引き出され、電線６の先端には第１コネクタ３が接続されている。そして、第２コネクタ５２と第１コネクタ３とが接続されると、複数の調光回路のそれぞれに負荷回路が電気的に接続されるようになっている。
【００７６】
この照明器具は、上述した点灯装置１と光源ユニット５０を備えており、光源ユニット５０が備える複数の負荷回路の各々に合わせて出力を調整することができる。
【符号の説明】
【００７７】
１  点灯装置
２  点灯回路
３  第１コネクタ（コネクタ）
４  第１端子
５ａ，５ｂ，５ｃ  第２端子
２１  第１調光回路（調光回路）
２２  第２調光回路（調光回路）
２３  第３調光回路（調光回路）
２４  制御部
２５  判定部
２６  出力制御部
２８  順電圧測定部（負荷情報取得部）
５０  光源ユニット
５２  第２コネクタ
５３  第１入力端子
５４ａ，５４ｂ，５４ｃ  第２入力端子
６１  第１負荷回路（負荷回路）
６２  第２負荷回路（負荷回路）
６３  第３負荷回路（負荷回路）
７１，７２，７３  発光ダイオード（固体発光素子）
【図１】
2015095328.tif 000003
【図２】
2015095328.tif 000004
【図３】
2015095328.tif 000005
【図４】
2015095328.tif 000006
【図５】
2015095328.tif 000007